(57)【特許請求の範囲】
【請求項１】
一直線をなす移送通路に沿って磁気カード(1)又はＩＣカードを受け入れたり放出したりするためのベゼル(2)、磁気ヘッド(5)、移送ローラ(6)及びアイドラ(7)の圧接部及びICカードとの通信手段(25、27、28)の順に配置し、前記移送ローラの側方であって、かつ前記通信手段の下側に前記カードをストアするようにした複数種類のメモリカードのハンドリング装置において、
前記ベゼルと前記磁気ヘッドとの間に配布ローラ(3)とアイドラ(4)の圧接部を配置し、前記配布ローラと前記アイドラの圧接部を前記カードが通過する前に前記移送ローラと前記アイドラの圧接部に挟まれる位置関係に配置し、
前記配布ローラ及び前記移送ローラの逆転によって前記ベゼルに挿入された磁気カード又はＩＣカードを装置内に引き入れ、
挿入されたカードが磁気カードの場合当該磁気カードが前記磁気ヘッドを通過した後、前記移送ローラ及び配布ローラを正転して前記ベゼル側に戻され、前記配布ローラと前記アイドラとの圧接部に挟まれた状態で停止され、
挿入されたカードがＩＣカードの場合当該ＩＣカードが前記移送ローラ及び前記アイドラの圧接部に挟持され、かつ前記通信手段による通信可能位置において一時停止された状態で前記通信手段による通信が行われた後、前記移送ローラ及び配布ローラを正転して前記ベゼル側に戻して前記配布ローラと前記アイドラとの圧接部に挟まれた状態で停止され、
前記磁気カード又は前記ＩＣカードの停止後、前記移送ローラに圧接するアイドラのシャフト(11)が前記移送ローラのシャフト(10)まわりに回転させられて前記磁気カード又は前記ＩＣカードが前記通信手段側に向かって下向きにされた後、前記移送ローラの逆転により前記磁気カード又は前記ＩＣカードを前記移送ローラの側方、かつ前記通信手段の下側にストアするようにした磁気カード及びＩＣカードの処理方法。
【発明の詳細な説明】
【０００１】
【発明の属する技術分野】
本発明はＩＣカードのようなメモリカードのハンドリング装置に関する。
とくに本発明はメモリカードをエンコードしたり払い出したりするためのメモリカード・ハンドリング装置に関する。
【従来の技術】
本件出願人はＳＣＤ−１０００として知られるコンタクト形ＩＣカードのディスペンサ／エンコーダを製造し販売している。
この装置はコインやクレジット・カードのような価値あるアイテムを受け入れるように適合されたホスト機にフィットされている。
【０００２】
ホスト機はカセットのようなストア部からＩＣカードを引き出すように当該カード・ディスペンサを指示する。
またホスト機の指示によりカードは移送通路に沿って書き込みセクションに送られる。
このセクションにおいて電気接点がカードの対応する接点と噛み合わされる。
そして適切な貨幣価値に対応したデータがカードに伝送されてストアされる。
こののちカードは出口であるアウトレットを通過して外に払い出される。
また此のディスペンサは前もってエンコードされているカードに更なる貨幣価値を加えることが出来る。
【０００３】
なおユーザすなわち使用者はアウトレットの開口を介してカードを挿入し得る。この場合、此処からカードは書き込みセクションに移送される。
以上のことは欧州特許出願公開のＥＰ−Ａ−０  ９６１  ２１９号に更に詳細に記載されている。
【発明が解決しようとする課題】
しかし此のカード・ディスペンサ／エンコーダは利便性が制限されている。
具体的には此のカード・ディスペンサ／エンコーダはコンタクト形カードに書き込み出来るのみである。
本発明の目的はメモリカードのハンドリング装置に少なくとも二個のヘッドを備えることにある。
【０００４】
言い換えると本発明の目的はメモリカードの移送通路に少なくとも二個のヘッドを備えることにある。
具体的には本発明の目的は、コンタクト形ＩＣカードと接触する電気接点ならびにコンタクトレス形ＩＣカードと通信するアンテナを備えることにある。
さらに具体的には本発明の目的は、コンタクト形ＩＣカードと接触する電気接点ならびにコンタクトレス形ＩＣカードと通信するアンテナに加えて、磁気ヘッドを備えることにある。
【０００５】
【課題を解決するための手段】
本発明は、一直線をなす移送通路に沿って磁気カード又はＩＣカードを受け入れたり放出したりするためのベゼル、磁気ヘッド、移送ローラ及びアイドラの圧接部及びICカードとの通信手段の順に配置し、前記移送ローラの側方であって、かつ前記通信手段の下側に前記カードをストアするようにした複数種類のメモリカードのハンドリング装置において、前記ベゼルと前記磁気ヘッドとの間に配布ローラとアイドラの圧接部を配置し、前記配布ローラと前記アイドラの圧接部を前記カードが通過する前に前記移送ローラと前記アイドラの圧接部に挟まれる位置関係に配置し、前記配布ローラ及び前記移送ローラの逆転によって前記ベゼルに挿入された磁気カード又はＩＣカードを装置内に引き入れ、挿入されたカードが磁気カードの場合当該磁気カードが前記磁気ヘッドを通過した後、前記移送ローラ及び配布ローラを正転して前記ベゼル側に戻され、前記配布ローラと前記アイドラとの圧接部に挟まれた状態で停止され、挿入されたカードがＩＣカードの場合当該ＩＣカードが前記移送ローラ及び前記アイドラの圧接部に挟持され、かつ前記通信手段による通信可能位置において一時停止された状態で前記通信手段による通信が行われた後、前記移送ローラ及び配布ローラを正転して前記ベゼル側に戻して前記配布ローラと前記アイドラとの圧接部に挟まれた状態で停止され、前記磁気カード又は前記ＩＣカードの停止後、前記移送ローラに圧接するアイドラのシャフト(11)が前記移送ローラのシャフト(10)まわりに回転させられて前記磁気カード又は前記ＩＣカードが前記通信手段側に向かって下向きにされた後、前記移送ローラの逆転により前記磁気カード又は前記ＩＣカードを前記移送ローラの側方、かつ前記通信手段の下側にストアするようにした磁気カード及びＩＣカードの処理方法である。
【０００６】
【発明の実施の形態】
以下に本発明を其の実施について添付の図面を参照しつつ説明する。すなわち此処で本発明による複数種類のメモリカードのハンドリング装置の磁気カード及びＩＣカードの処理方法の一実施例が添付の図面を参照しながら記載される。
【０００７】
図１Ａは本発明による一実施例を示す概略的な斜面図である。
図１Ｂは同上実施例の主要部品を示す概略的な斜面図である。
図１Ｃは図１Ｂと同様な斜面図であり更に幾つかの部品が取り除かれている。
図１Ｄは同上実施例によってハンドリング可能な三種類のメモリカードを示す斜面図である。
図２から図１４はそれぞれ同上実施例の部分側面図であり種々の異なるモードの動作状態を示している。
図１５から図１７はシャッタ装置の異なる状態を示すための説明図である。
図１８はブロック回路図であり同上実施例がホスト機のコントローラにどの様に結合されているかを説明している。
【０００８】
実施例の装置はハウジングである一対の概略Ｌ形になるサイド板１００と１０１を備えている（図１Ａを参照）。
これらのサイド板１００と１０１の後ろ部分にはカードカセット用の場所１０２が形成されている（図１Ｂを参照）。
場所１０２にエンコードされるカードのスタック２０が貯留される。
スタック２０の最も下のカードは支持プレート１０３に保持される（図１Ｂを参照）。
支持プレート１０３はスロット１０３Ａを有している。
このスロット１０３Ａを介してクラッチ用のローラ１４が露出している。
【０００９】
クラッチローラ１４は高い摩擦係数をもつ部分１４Ａを有している。
そして此の部分１４Ａは部分的に突き出されている。
ローラ１４はソレノイド操作されるクラッチ（図示略）を介在してシャフト１９に取り付けられている。
なお此のソレノイド操作されるクラッチは図１８のブロック回路図において符号２２０で示されている。
またシャフト１９はサイド板１００と１０１の間に伸びている。
そして此のシャフト１９にクラッチ駆動用のプリー１８が固定されている（図１Ｃを参照）。
【００１０】
モータ駆動のベルト１５はプリー１８と複合プリー１６の直径小部とプリー１３のまわりに張られている（図１Ａを参照）。
なおプリー１３は払い出し用のモータ１７の駆動軸に堅く固定されている（図１Ｂを参照）。
ローラ１４はクラッチ（図示略）と噛み合いモータ１７の駆動に応答して反時計方向に回転される（図１Ｃを参照）。
かくしてローラ１４はスタック２０の最も下にあるカードを前方向に送り出す（図１１を参照）。
送り出されたカードはゲート２１の下を通過しローラ２２と噛み合う。
【００１１】
なお此のローラ２２はシャフト３６に回転自在に取り付けられている（図１Ｂを参照）。
なおシャフト３６は一対のサイド板１００と１０１の間に堅く固定されている。またローラ２２とカードのゲート２１との間にはギャップが形成されている。
このギャップは一度に一枚のみのカードを払い出すように形成されている（図１１を参照）。
送りローラ２２はシャフト３６を自由に回転することは既に述べた。
払い出されたカードを最小の摩擦係数によってカードゲート２１の下を通過させるためである。
【００１２】
この間、クラッチローラ１４は実際にはカードを前方向に駆動している（図１１を参照）。
払い出されたカードは次にニップを通過する。
このニップはシャフト１０５に固定された一対の放出ローラ２３と一対の放出アイドラ２４とによって形成されている。
払い出されたカードが此のニップを通過するときにクラッチローラ２２は噛み合いが外される。
そして放出ローラ２３は当該カードをアンテナ２５と電気接点保持のプレート２７との間に送り出す（図１２を参照）。
【００１３】
上述された装置は欧州特許出願公開のＥＰ−Ａ−０  ９６１  ２１９号に記載された装置と似ている。ただしアンテナ２５を除いてである。
アンテナ２５とプレート２７との間に位置されたカードは更に別のニップ内に受け入れられる。
このニップは一対の移送ローラ６と一対の移送アイドラ７の間に形成されている（図１Ｃを参照）。
なお移送ローラ６はシャフト１０に回転しないように取り付けられている。
またシャフト１０は移送駆動のベルト３０を介在してモータ１７により駆動される。
【００１４】
そしてカードは更に移送ローラ６によって別のニップに送り出される。
このニップは一対の配布ローラ３と対応する配布アイドラ４との間に形成されている（図１Ｃを参照）。
ここからカードは受け口／出し口のベゼル２を通って当該装置の外に出される（図５を参照）。
なお配布ローラ３はシャフト１１０に回転しないように取り付けられている（図１Ｃを参照）。
このシャフト１１０には配布駆動用のプリー３３が固定されている。
そしてプリー３３は配布駆動用のベルト３２を介在してモータ１７により駆動される（図１Ｂを参照）。
【００１５】
なおベルト３２は移送駆動のプリー３１まわりにも張設されていることは勿論である。
またプリー３１はシャフト１０に固定されていることは勿論である。
メモリカードをハンドリングしているときに必要に応じて当該カードを回収する場合がある。
この目的のために一対のアイドラ７が一対のプレート３５の間に取り付けられている（図１Ｃを参照）。
なお此等のプレート３５はシャフト１０まわりに枢軸されている。
この結果、アイドラ７は図７に示されるように時計方向に回転され得る。
【００１６】
カードを下方の回収場所に向けるためである。
このことは欧州特許出願公開ＥＰ−Ａ−０  ９６１  ２１９号に更に詳しく記載されている。
また二個のセンサ１２２がサイド板１００に固定されている（図１Ａを参照）。これらのセンサ１２２はプレート３５の位置に関する信号を提供する。
カードが回収されているときに回収用のモータ３４を制御するためである（図１Ｂを参照）。
なお当該装置内には移動するカードをモニタするために光り反射形のセンサ１２０と１２１と１２３が備えられている。
【００１７】
言い換えると此等センサ１２０と１２１と１２３は移送中のカードをモニタするために使用される。
またカードカセットのエンプティを検出するためのセンサ（図示略）も備えられている。
なお此のセンサは図１８において符号２００で示されている。
カードは受け口／出し口のベゼル２を介在して当該装置内に挿入され又当該装置外に出される。
ベゼル２とシャッタ３８との組み合わせが図１Ｂに示されている。
さらに詳細なベゼル２とシャッタ３８との組み合わせが図１５から図１７に示されている。
【００１８】
図１５から図１７の各図はそれぞれシャッタ装置の正面図と断面端面図が示されている。
なお後記されるように金属製のシャッタ３８は基本的には二個のモードで作動され得る。
セキュリティを増すためにベゼル２は矩形Ｔ形板のシャッタ３８と組み合わされている。
そしてシャッタ３８の上縁両サイドには小さな五角形板の突片ＰＦがそれぞれ直角に固定されている。
またシャッタ３８は大きな矩形Ｔ形板のプレート４０の表面に上下方向にスライド自在に配設されている。
【００１９】
なおベゼル２は横に長い角リング形状の樹脂製である。
そしてベゼル２はシャッタ３８上縁部を覆って樹脂製のプレート４０の上縁部に固定されている。
また横に長いベゼル２はカード挿入用の横方向スリットが形成されていることは勿論である。
矩形Ｔ形板のシャッタ３８の各サイド片にはそれぞれソレノイド３７のプランジャ４１が垂下されている。
なおプランジャ４１上端のピン４２はシャッタ３８の小さい矩形孔ＬＨ内を移動自在である。
【００２０】
また少し長いプランジャ４１内には細長い棒磁石が内蔵されていても良いことは勿論である。
また各ソレノイド３７は各プランジャ４１の下半分をそれぞれ昇降自在に収納している。
そして一対になるソレノイド３７は横長板ＴＰの両サイドにそれぞれ固定されている。
なお横長板ＴＰはプレート４０の裏面下部に取り付けられている。
一対のソレノイド３７は通常すなわち図１５の場合、それぞれオフすなわち非励磁の状態にある。
【００２１】
このときソレノイド３７のプランジャ４１はそれぞれの永久磁石ＰＭによって保持すなわちラッチされている。
言い換えるとソレノイド３７はシングル・ラッチ式のソレノイドと言うことが出来る。
加えて少し長い二本のスプリング３９の各上端がプレート４０の各サイドにそれぞれ固定されている。
またスプリング３９の各下端はシャッタ３８下縁の各角部にそれぞれ固定されている。
したがって通常はシャッタ３８が一対のスプリング３９によって少し上方向に移動されている。
【００２２】
この結果、カード・エントリィ用の通路ＥＰは通常、シャッタ３８によって遮断されている（図１５を参照）。
すなわちベゼル２とプレート４０に形成されたカード・エントリィ用の通路ＥＰが通常は遮断されている。
したがってベゼル２から雨水などが当該装置内部に入ることが無くなる。
またシャッタ３８の開閉位置は光学式のセンサ２１０を介在してモニタされている。
たとえばシャッタ３８の両サイドに形成される各突片のひとつがセンサ２１０によって検出される。
なおセンサ２１０は例えば横長板ＴＰの起立片に固定される。
【００２３】
この結果、シャッタ３８の故障も検知され得ることになる。
「モード１：カードの受け入れ」
上述の図１５の状態においてカードが受け口／出し口のベゼル２に挿入される。挿入されたカードの先端エッジはシャッタ３８に直角に固定された突片ＰＦの楔面４３を打つ。
この結果、シャッタ３８はスプリング３９に抗して少し下方向に動かされる（図１６を参照）。
かくしてカードＣＲは受け口／出し口のベゼル２を通り抜けることになる。
カードＣＲが楔面４３を越えて完全に通過するや否やシャッタ３８は閉じた状態に戻る（図１５を参照）。
【００２４】
すなわちシャッタ３８はスプリング３９の作用によって其の閉じた状態に戻る。なお当該装置の内側からベゼル２に近ずくカードも突片ＰＦの内楔面４３’を打つことは勿論である。
たとえば払い出される或いはユーザに戻されるカードは図１５の右側から内楔面４３’を打つ。
この結果、シャッタ３８は下方向に動かされてカードは受け口／出し口のベゼル２を通り抜ける（図１６を参照）。
「モード２：カードのロックアウト」
たとえばベゼル２を通過して当該装置内部でカードがアクセスされるときにはソレノイド３７が逆電流でオンされ続ける。
【００２５】
ソレノイド３７が逆電流でオンすなわち励磁されていると永久磁石ＰＭのラッチ作用が無視される。
すなわちソレノイド３７が逆電流で励磁されているとスプリング３９の作用によってプランジャ４１が突出する（図１７を参照）。
一対のプランジャ４１が突出するとベゼル２とプレート４０に形成されたカードのエントリィ通路ＥＰが遮断される。
かくしてカードがベゼル２に挿入されるとカードの先端エッジは突片ＰＦのブロック面４４をヒットする。
ブロック面４４はカードの移動に対して直角である。この結果、カードはシャッタ３８を下方向に動かすことが出来ない。
【００２６】
すなわち新しい別のカードがベゼル２から当該装置内部に挿入されることが防止される。
なお当該装置内部からベゼル２に近ずくカードも突片ＰＦの内ブロック面４４’を打つことは勿論である。
たとえば払い出されるカードは図１７の右側から内ブロック面４４’を打つことになる。
かくしてカードはシャッタ３８を下方向に動かすことが出来ない。
言い換えると図１７の場合、カードはカード・エントリィ用の通路ＥＰを各方向から通過することが出来ない。
【００２７】
カードが当該装置内に入ることを防止されている間も光学式センサ２１０が使用されることは勿論である。
言い換えるとセンサ２１０はシャッタ３８が所望の位置に本当にあるか否かをチェックしている。
もしシャッタ３８が所望の位置でない場合にはセンサ２１０の信号がホスト機に送られる。
すなわちセンサ２１０の信号がホスト機に送られてカードデータの処理遂行が安全でないことが指摘される。
シャッタ３８を図１５に示される位置に再び戻す場合にはソレノイド３７が正電流でオンされる。
【００２８】
言い換えるとシャッタ３８を元の位置に戻す場合にはソレノイド３７が正電流で瞬間的に励磁される即ちオンされる。
この結果、プランジャ４１はスプリング３９に抗してソレノイド３７内にそれぞれ引き込まれる。
そしてプランジャ４１は永久磁石ＰＭによってそれぞれ保持すなわちラッチされる。
前述したようにソレノイド３７はシングル・ラッチ式のソレノイドである。
かくしてシャッタ３８は図１５の所定位置に引き戻される。
以上のことからソレノイド３７はダブル・ラッチ式のソレノイドであっても良いことは勿論である。
【００２９】
たとえば図１７においてソレノイド３７が逆電流で瞬間的にオン即ち励磁されてプランジャ４１が突出される。
この突出されたプランジャ４１を永久磁石ＰＭでラッチするようにしても良いことは勿論である
この場合、図示を省略したがソレノイド３７はダブル・ラッチ用に改良されることは勿論である。
最後のヘッドとして磁気ヘッド５が移送ローラ６と配布ローラ３との間に配置されている（図１Ｃを参照）。
また上述された当該装置はホスト機のコントローラ３００に結合されている（図１８を参照）。
【００３０】
もちろんプリント回路基板３２０に搭載されたインターフェイス用の電子装置３１０を介在している。
電子装置３１０はホスト機のコントローラ３００と上述した種々のセンサとの間のインターフェイスを提供する。
さらに電子装置３１０はコントローラ３００とモータならびにソレノイドとの間のインターフェイスを提供する。
電力は電力供給用のインターフェイス３３０を介在して電子装置３１０に供給される。
一方、プリント回路基板３２０はＣＰＵすなわち中央処理ユニット３４０を保持している。
【００３１】
この中央処理ユニット３４０はシリアル・インターフェイスを介在してホスト機のコントローラ３００に接続されている。
インターフェイス電子装置３１０は磁気デコーダのインターフェイス３４０に接続されている。
このインターフェイス３４０は磁気ヘッド５に接続されている。
またインターフェイス電子装置３１０はコンタクトレス形ＩＣカードのインターフェイス３５０を介在してアンテナ２５に接続されている。
またホスト機のコントローラ３００はコンタクト形ＩＣカードのコネクタ２７に接続されている。
【００３２】
他の実施例としてコンタクト形ＩＣカードのインターフェイス３６０が備えられ得る。
この場合、ホスト機のコントローラ３００はプリント回路基板３２０とインターフェイス３６０を介在してコネクタ２７に結合される。
またホスト機は典型的にはオペレータ用のディスプレイ（図示略）ならびにキーボード（図示略）を含む。
なお此のディスプレイ等はコントローラ３００に結合されることは勿論である。したがって当該装置はホスト機に依存して種々のモードにて操作され得る。
一般には磁気ヘッド５やプレート２７の電気接点やアンテナ２５によって形成される各ヘッドは、読み取りと書き込みの両方に使用され得る。
【００３３】
しかしながら典型的には磁気ヘッド５はメモリカードの磁気ストリップからの情報読み取りのみに使用される。
もちろんメモリカードは受け入れ口のベゼル２を通して挿入される。
エンコーデングはアンテナ２５ならびにプレート２７の接点の何れか適切な方を介在して行われ得る。
操作モードの例を述べる前に此処で図１Ｄを参照ねがいたい。
この図１Ｄは磁気ストリップ８を有する磁気カード１を説明している。
また埋め込まれたＩＣチップ１２Ｃとアンテナ１２Ａを含むコンタクトレス形ＩＣカード１２を説明している。
【００３４】
また図１Ｄには電気接点２９を有するコンタクト形ＩＣカード２６が示されている。
上述の構成からなる本実施例の動作について主として図２から図１４に基づいて説明する。ここで其の説明の前に本実施例の主動作について要約する。
モード１：支払いに磁気カードを受け入れてコンタクトレス形ＩＣカードを販売する。
モード２：支払いにコンタクト形ＩＣカードを受け入れてコンタクトレス形ＩＣカードを販売する。
【００３５】
モード３：支払いに磁気カードを受け入れてコンタクトレス形ＩＣカードを再ロードする。
モード４：支払いにコンタクト形ＩＣカードを受け入れてコンタクトレス形ＩＣカードを再ロードする。
「モード１」
「コンタクトレス形カードの販売のために、同じメカニズムから同じカード・スロットを通して支払いとして磁気カードを受け入れる」
（ａ）ユーザによって磁気カードがカードの受け口／出し口のスロットを通して挿入され、この磁気カードに含まれるデータが読み出される。
【００３６】
すなわち図２に示される位置から磁気カード１が手によって受け口／出し口のベゼル２内に送られる。
このとき磁気カード１は配布ローラ３とアイドラ４によって取り込まれる（図３を参照）。
これら配布手段３と４は逆方向に回転しているモータ１７（図１Ｂ）によって駆動される。
すなわち払い出しモータ１７のプリー１３とベルト１５と３０とプリー３１とベルト３２とプリー３３を介在して駆動される。
なお此のときクラッチローラ１４は回転していない。
【００３７】
モータ１７が逆方向に回転されているときクラッチローラ１４のシャフト１９とは噛み合わないからである
言い換えるとソレノド２２０（図１８）で作動されるクラッチ（図示略）が使用されないからである。
なお此のことは欧州特許出願公開のＥＰ−Ａ−０  ９６１  ２１９号には少し詳しく記載されている。
磁気カード１の更なる移送は磁気ヘッド５を覆うことで始まる（図３を参照）。磁気カード１が配布ローラ３とアイドラ４を完全に通過する前に移送ローラ６とアイドラ７によって取り込まれる。
【００３８】
移送ローラ６とアイドラ７は磁気カード１が磁気ヘッド５を完全に通過するまで磁気カード１を送り続ける（図４を参照）。
磁気カード１が磁気ヘッド５を通過すると磁気ストリップ８にストアされたデータが読み出されホスト機に送られる。
（ｂ）磁気カードから読み出されたデータについてホスト機からの受信すなわちホスト機からの電気的出力に続いて、メカニズムは此の磁気カードをユーザに返却する。
すなわちモータ１７は更に逆方向すなわち正方向に回転される。
かくして磁気カード１は移送ローラ６とアイドラ７によってベゼル２の方向に送られる。
【００３９】
そして最終的に磁気カード１は配布ローラ３とアイドラ４によって静止位置に送られる（図５を参照）。
この結果、磁気カード１は受け口／出し口のベゼル２から露出される。
ユーザの手による磁気カード１の回収が容易なようにである。
（ｃ）ユーザが磁気カードをセット時間内に回収しない場合には、磁気カードをハウジング内に戻しストアする。
言い換えると磁気カード１は図５に示される位置にセット時間のあいだ静止状態に置かれる。
磁気カード１がユーザの手で回収されないときはセンサ１２０（図１Ｂ）によって検知される。
【００４０】
センサ１２０によって磁気カード１が検知されるとモータ１７が駆動される。
この結果、配布ローラ３とアイドラ４はベルトならびにプリーを介在して駆動される。
すなわち磁気カード１が配布ローラ３とアイドラ４の間にある場合、磁気カード１はメカニズム内に戻され得る。
そして磁気カード１が配布ローラ３とアイドラ４の間ならびに移送ローラ６とアイドラ７の間に来ると静止される（図６を参照）。
この静止位置においてピニオンギア８がモータ３４によって駆動される（図１Ｂを参照）。
【００４１】
そしてピニオンギア８がギア・セグメント９を駆動する（図１Ｃを参照）。
なおギア・セグメント９は６字形の回収用のプレート３５に固定されている。
このプレート３５は移送ローラ６のシャフト１０まわりを回転する。
したがって移送アイドラ７のシャフト１１は移送ローラ６のまわりを旋回することになる（図７を参照）。
この結果、磁気カード１は移送ローラ６と移送アイドラ７の両方の接線になる。磁気カード１が約４０度回転されると回収モータ３４のピニオンギア８が静止される（図８を参照）。
したがって磁気カード１は図８の位置に静止されることになる。
【００４２】
この段階で移送ローラ６が駆動されて磁気カード１は移送ローラ６とアイドラ７を完全に通過する（図９を参照）。
これによって磁気カード１は例えば手による検索のためにストアされる。
（ｄ）ストアされたスタックからコンタクトレス形ＩＣカードが払い出されて、このＩＣカードとホスト機との間の無線通信に準備される。
「モード１」の（ｂ）に記載したように磁気カード１がユーザに返却されると、コンタクトレス形ＩＣカード１２が払い出される。
すなわちユーザが磁気カード１の回収に成功すると、コンタクトレス形ＩＣカード１２が払い出される。
【００４３】
言い換えるとコンタクトレス形ＩＣカード１２が以下のようにユーザに販売される。
モータ１７のプリー１３が駆動されると、クラッチ駆動のプリー１８と放出駆動のプリー１６が駆動される。
これらのプリー１３と１６と１８はベルト１５を介在していることは前に述べた（図１Ａを参照）。
クラッチ駆動のプリー１８はクラッチローラ１４のシャフト１９に堅く固定されている。
したがってソレノイド駆動のクラッチ（図示略）を介在してローラ１４が駆動される（図１０を参照）。
【００４４】
この結果、ストアされたスタック２０の最も下のコンタクトレス形ＩＣカード１２が前方向にシャフルされる（図１１を参照）。
シャフルされたコンタクトレス形ＩＣカード１２はゲート２１と供給ローラ２２の間のギャップを通過する。
そして此のＩＣカード１２の先端部は放出ローラ２３とアイドラ２４によって引き出される。
ほぼ同時にソレノイド２２０（図１８）で操作されたクラッチがローラ１４から外れる。
放出ローラ２３とアイドラ２４はコンタクトレス形ＩＣカード１２を更に前方向に送り出す。
【００４５】
前方向に送り出されたコンタクトレス形ＩＣカード１２は無線周波用のアンテナ２５の上方に位置される（図１２を参照）。
すなわちコンタクトレス形ＩＣカード１２は電気接点保持用のプレート２７の下に静止される。
この静止位置において無線周波通信がホスト機とコンタクトレス形ＩＣカード１２との間で行われる。
（ｅ）以下に指摘するようにホスト機からの入力信号に応答する。
（ｉ）成功裏にホスト・カード通信が完了された場合。
「この場合、カードが払い出しのために受け口／出し口のベゼルから送り出され、行われたことを指摘する電気出力信号がホスト機に提供される。」
【００４６】
すなわちコンタクトレス形ＩＣカード１２は図１２に示された位置からベゼル２の方向に移動される。
このＩＣカード１２は移送ローラ６と７ならびに配布ローラ３と４によってベゼル２の方向に送られる。
なおＩＣカード１２は図５のように、移送ローラ６を完全に通過するものの配布ローラ３は通過しない。
したがって此のときコンタクトレス形ＩＣカード１２は払い出しのために静止していることになる。
すなわちＩＣカード１２は「モード１」の（ｂ）で説明された磁気カード１と同じ態様で静止している。
【００４７】
ユーザがセット時間内にコンタクトレス形ＩＣカード１２をベゼル２から取り出さない場合がある。
この場合、「モード１」の（ｃ）で記載された磁気カード１に関するのと同じ方法が行われる。
（ｉｉ）例えばコンタクトレス形ＩＣカードの損傷によって通信が不成功であった場合。
「カードの確保すなわちメカニズムの払い出し通路からカードを取り除いてストアし、そしてステップ（ｅ）（ｉ）が達成されるまでステップ（ｄ）を自動的に繰り返す。」
【００４８】
まずコンタクトレス形ＩＣカード１２は図１２に示された位置からベゼル２の方向に送られる。
すなわち此のＩＣカード１２は移送ローラ６とアイドラ７によって受け口／出し口のベゼル２方向に送られる。
コンタクトレス形ＩＣカード１２はベゼル２内に入る前に図６のように移送ローラ６が停止される。
すなわち此のＩＣカード１２は「モード１」の（ｃ）で記載された磁気カード１と同じ位置に静止される。
かくしてコンタクトレス形ＩＣカード１２は「モード１」の（ｃ）で記載されたのと同じ方法で確保される。
【００４９】
「モード２」
「コンタクトレス形カード販売のために、支払いとしてコンタクト形ＩＣカードを同じメカニズムから同じカード・スロットを介して受け入れる」
（ａ）コンタクト形ＩＣカードがユーザによって受け口／出し口のカード・スロットを通して挿入され、８ウエイ形ＩＣカード用のコネクタがカードのＩＣパッドと電気接点をつくるように当該カードを配置する。
まずコンタクト形ＩＣカード２６は手持ちによって受け口／出し口のベゼル２に挿入される。
すなわち「モード１」の（ａ）における磁気カード１と同じ方法である。
ベゼル２に挿入されたコンタクト形ＩＣカード２６は配布ローラ３とアイドラ４によって取り込まれる。
【００５０】
なお配布ローラ３とアイドラ４はベルトやプリーを介しモータ１７によって駆動される。
かくしてコンタクト形ＩＣカード２６はＩＣカード用コネクタ２７の方向に送られる。
そして此のＩＣカード２６は更に移送ローラ６とアイドラ７によって取り込まれる。
コンタクト形ＩＣカード２６がＩＣカード用コネクタ２７の突起２８に引っ掛かるまで送られる。
言い換えるとＩＣカード２６がコネクタ２７の突起２８によって静止される位置まで送られる。
【００５１】
ＩＣカード用コネクタ２７はコンタクト形ＩＣカード２６でもって横と下方向に動かされる（図１３を参照）。
この結果、コネクタ２７は移動して此のＩＣカード２６のＩＣ接続用のパッド２９と接触する。
ＩＣカード用コネクタ２７がＩＣ接続用パッド２９と完全に合致すると移送ローラ６が停止される（図１４を参照）。
かくしてコンタクト形ＩＣカード２６は静止されてホスト・カード通信の準備が行われる。
（ｂ）コネタクタがカードのＩＣパッドと接触したことを指摘するために、電気出力信号をホスト機に提供する。
【００５２】
（ｃ）成功裏にホスト・カード通信が完了されたことを指摘するために、ホスト機からの電気入力信号に応答する。
この場合、回収のために受け口／出し口のスロットからカードを送り出し、行われたことを指摘するためにホスト機に電気出力信号を提供する。
すなわちコンタクト形ＩＣカード２６が図１４に示される位置からベゼル２の方向に移動される。
言い換えると此のＩＣカード２６が移送ローラ６と７ならびに配布ローラ３と４によってベゼル２の方向に移動される。
一方、ＩＣカード用コネクタ２７はスプリング（図示略）によって静止位置に戻される。
【００５３】
なおコンタクト形ＩＣカード２６は移送ローラ６を通過するが配布ローラ３は通過しない（図５を参照）。
すなわち此のＩＣカード２６は回収準備のため静止していることになる。
コンタクト形ＩＣカード２６は「モード１」の（ｂ）で記載された磁気カード１と同じ態様で静止する。
ユーザがセット時間内にコンタクト形ＩＣカード２６をベゼル２から取り出さない場合がある。
この場合、「モード１」の（ｃ）で記載された磁気カード１に関するのと同じ方法が行われる。
【００５４】
（ｄ）ストアされたスタックからコンタクトレス形ＩＣカードが払い出され、コンタクトレス形ＩＣカードとホスト機との間に無線周波通信の準備がが行われるように位置される。
ユーザが使用したコンタクト形ＩＣカード２６を回収したあとコンタクトレス形ＩＣカード１２が払い出される。
このコンタクト形ＩＣカード２６は「モード１」の（ｄ）で記載された磁気カード１のように払い出される。
（ｅ）以下に指摘するようにホスト機からの入力信号に応答する。
（ｉ）成功裏にホスト・カード通信が完了して、回収のために受け口／出し口のスロットからカードを送り出し、ホスト機に行われたことを指摘するために電気出力信号を提供する。
【００５５】
すなわち「モード１」の（ｅ）（ｉ）のようにである。
（ｉｉ）たとえばコンタクトレス形ＩＣカードが破損して通信が不成功であった場合に、カードの確保すなわちメカニズムの払い出し通路からカードを取り除いてストアし、ステップ（ｅ）（ｉ）が達成されるまでステップ（ｄ）を自動的に繰り返す。
すなわち「モード１」の（ｅ）（ｉｉ）のように行う。
「モード３」
「ユーザによって同じカード・スロットを介して挿入されたコンタクトレス形カードの再ローディングのために、支払いとして磁気カードの受け入れる」
【００５６】
（ａ）ユーザによって磁気ＩＣカードが受け口／出し口のカード・スロットを通して挿入されると、磁気カードに含まれるデータが読み出される。
すなわち「モード１」の（ａ）のようにである。
（ｂ）磁気カードから読み出されたデータについてホスト機からの受け取り即ちホスト機からの電気出力により指摘されて、磁気カードをユーザに返却する。
すなわち「モード１」の（ｂ）のようにである。
（ｃ）ユーザがセット時間内に磁気カードを取らない場合、磁気カードを取り戻して検索のためにストアする。
すなわち「モード１」の（ｃ）のようにである。
【００５７】
（ｄ）受け口／出し口のスロットを介してユーザにより挿入されたコンタクトレス形ＩＣカードを、コンタクトレス形ＩＣカードとホスト機との間に行われる無線周波通信のために準備する。
すなわち「モード１」の（ａ）で記載された磁気カード１のようにである。
まずコンタクトレス形ＩＣカード１２が手持ちで受け口／出し口のスロットに供給される。
このＩＣカード１２は配布ローラ３とアイドラ４によって取り込まれる。
なお此等の配布手段３と４はモータ１７によりベルトとプリーを介在して駆動される。
【００５８】
そしてコンタクトレス形ＩＣカード１２のメカニズム内への移送が始まる。
コンタクトレス形ＩＣカード１２は無線周波用のアンテナ２５の下方に静止される。
すなわち図１３に示されたコンタクト形ＩＣカード２６の場合と似た場所に静止される。
かくして無線周波通信がホスト機とコンタクトレス形ＩＣカード１２の間で行われる。
（ｅ）ホスト・カード通信が完了されたことを指摘するためにホスト機からの電気入力信号に応答して、回収のためにカードを受け口／出し口のスロットから送り出し、行われたことを指摘するためにホスト機に電気出力信号を提供する。
【００５９】
すなわち「モード１」の（ｅ）（ｉ）のようにである。
「モード４」
「ユーザによって同じカード・スロットを介して挿入されたコンタクトレス形カードの再ローディングのために、支払いとしてコンタクト形ＩＣカードを受け入れる。」
（ａ）ユーザによりコンタクト形ＩＣカードが受け口／出し口のカード・スロットを介して挿入されると、８ウエイ形ＩＣカードのコネクタが此のカードのＩＣパッドと電気接触を作るように配置される。
すなわち「モード２」の（ａ）のようにである。
【００６０】
（ｂ）コネタクタがカードのＩＣパッドと接触したことを指摘するために、電気出力信号をホスト機に提供する。
すなわち「モード２」の（ｂ）のようにである。
（ｃ）成功裏にホスト・カード通信が完了したことを指摘するため、ホスト機からの電気入力信号に応答して、カードを回収のために受け口／出し口のスロットから送り出し、行われたことを指摘するために電気出力信号をホスト機に提供する。
すなわち「モード２」の（ｃ）のようにである。
（ｄ）ユーザにより受け口／出し口のスロットを介して挿入されたコンタクトレス形ＩＣカードを、コンタクトレス形ＩＣカードとホスト機との間に行われる無線周波通信のために準備する。
【００６１】
すなわち「モード３」の（ｄ）のようにである。
（ｅ）ホスト・カード通信が完了されたことを指摘するホスト機からの入力信号に応答して、カードを回収のために受け口／出し口のスロットから送り出し、行われたことを指摘するために電気出力信号をホスト機に提供する。
すなわち「モード１」の（ｅ）（ｉ）のようにである。
【発明の効果】
以上のように本発明のメモリカード・ハンドリング装置は同じ移送通路に少なくとも二個のヘッドを備える。
この結果、異なるタイプのカードが同じ移送通路を使用し同じ装置によってハンドリングされ得る。
【００６２】
ひとつの例では貨幣価値がメモリカードに配置された磁気ストリップにストアされている。
そして此の磁気ストリップから別のＩＣカードに其の貨幣価値を移転する場合がある。
この場合、本発明によるメモリカードのハンドリング装置によって達成することが出来る。
具体的には移送通路に磁気ストリップのカードを最初に挿入することによって達成される。
この場合、この磁気カードは第一のヘッドに移送される。
【００６３】
磁気ストリップから貨幣情報を読み出して新しい減少した貨幣価値を磁気カードに書き込むためである。
磁気カードは其のちユーザに戻される。
つぎにコンタクト形ＩＣカードは同じ移送システムによって同じ通路を移送される。
たとえばカード・ストアから第二のヘッドに移送される。
ここで貨幣価値が当該ＩＣカードに記録される。
こののち此のＩＣカードは同じアウトレットを通過して払い出される。
通常の場合は磁気カードには貨幣価値がストアされていない。
【００６４】
カード保持者の口座に関する情報がストアされている。
たとえば口座番号やソートコードや名前や期限などのような情報がストアされている。
この情報は第一のヘッドによって読み出されてホスト機コントローラに転送される。
たとえばモデム・リンクを介在して関連する金融機関にて権威付けのチェックを遂行するためである。
権威付けされるや否やＩＣカードが発行される。
この発行されたＩＣカードは第二のヘッドによって転送された正しい貨幣価値を有している。
【００６５】
評価されることは第一のヘッドが通常はメモリカードから情報を読み出すことである。
また望ましい装置においては第二のヘッドが情報の読み出し書き込みの両方を行い得ることである。
望ましい例においては当該装置が更に第三のヘッドを備えることである。
第一と第二の態様とは異なる第三の態様でカードから読み出したりアンド／オア書き込んだりするためである。
この場合、もし第一のヘッドが磁気ヘッドであると、第二のヘッドはコンタクト形ＩＣカードと接触するための電気接点を備える。
【００６６】
つぎに第三のヘッドはコンタクトレス形ＩＣカードと通信するためのアンテナを備える。
各ヘッドは幾つかのインターフェイス電子装置に電気的に結合されることは勿論である。
各ヘッドをホスト機のコントローラに接続するためである。
加えて当該装置は望ましくは制御ユニットすなわち中央処理ニットＣＰＵを含んでいる。
ホスト機の制御システムからの信号に応答して装置の種々の部品を制御するためである。
【００６７】
望ましくは此の装置は更にメモリカードのストア位置を備える。
そして移送システムは此処まで伸ばされる。
移送システムは更にメモリカードの供給システムを含んでも良いことは勿論である。
ストア位置からメモリカードを引き出すためである。
不正使用のリスクを低減するために望ましくはシャッタが備えられる。
メモリカードが装置内に挿入されないときにアウトレット／インレットを閉じるためである。
また当該ユニットからメモリカードが引き出されるのを防止するためである。
【００６８】
あるいはメモリカードのデータ処理の間／後に偽造されるのを防止するためである。
また盗まれたクレジット／デビットのカードを回収するために当該メカニズムが使用され得ることは勿論である。
言い換えるとホット・リストされたクレジット／デビットのカードを保持するためにメカニズムが使用され得る。
【図面の簡単な説明】
【図１Ａ】図１Ａは本発明による一実施例を示す概略的な斜面図である。
【図１Ｂ】図１Ｂは同上実施例の主要部品を示す概略的な斜面図である。
【図１Ｃ】図１Ｃは図１Ｂと同様な斜面図であり更に幾つかの部品が取り除かれている。
【図１Ｄ】図１Ｄは同上実施例の使用によって処理可能な三種類のメモリカードを示す斜面図である。
【図２】図２は同上実施例の部分側面図でありモードの動作を示している。
【図３】図３は同上実施例の部分側面図でありモードの動作を示している。
【図４】図４は同上実施例の部分側面図でありモードの動作を示している。
【図５】図５は同上実施例の部分側面図でありモードの動作を示している。
【図６】図６は同上実施例の部分側面図でありモードの動作を示している。
【図７】図７は同上実施例の部分側面図でありモードの動作を示している。
【図８】図８は同上実施例の部分側面図でありモードの動作を示している。
【図９】図９は同上実施例の部分側面図でありモードの動作を示している。
【図１０】図１０は同上実施例の部分側面図でありモードの動作を示している。
【図１１】図１１は同上実施例の部分側面図でありモードの動作を示している。
【図１２】図１２は同上実施例の部分側面図でありモードの動作を示している。
【図１３】図１３は同上実施例の部分側面図でありモードの動作を示している。
【図１４】図１４は同上実施例の部分側面図でありモードの動作を示している。
【図１５】図１５はシャッタ装置の正面図と断面端面図がそれぞれ示されている。
【図１６】図１６もシャッタ装置の正面図と断面端面図がそれぞれ示されている。
【図１７】図１７もシャッタ装置の正面図と断面端面図がそれぞれ示されている。
【図１８】図１８はブロック回路図であり同上実施例がホスト機のコントローラにどの様に結合されているかを説明している。
【符号の説明】
メモリカード。・・・・・
１：磁気カード。
１２：コンタクトレス形ＩＣカード。
２６：コンタクト形ＩＣカード。
ハウジング。・・・・・・
１００：サイド板。
１０１：サイド板。
開口。・・・・・
２：ベゼル。
無線通信手段。・・・・・
２５：アンテナ。
ローラ。・・・・・
６：移送ローラ。
１０：移送ローラのシャフト。
アイドラ。・・・・・
７：移送アイドラ。
１１：移送アイドラのシャフト。
【図１Ａ】
0004186033.tif 000002
【図１Ｂ】
0004186033.tif 000003
【図１Ｃ】
0004186033.tif 000004
【図１Ｄ】
0004186033.tif 000005
【図２】
0004186033.tif 000006
【図３】
0004186033.tif 000007
【図４】
0004186033.tif 000008
【図５】
0004186033.tif 000009
【図６】
0004186033.tif 000010
【図７】
0004186033.tif 000011
【図８】
0004186033.tif 000012
【図９】
0004186033.tif 000013
【図１０】
0004186033.tif 000014
【図１１】
0004186033.tif 000015
【図１２】
0004186033.tif 000016
【図１３】
0004186033.tif 000017
【図１４】
0004186033.tif 000018
【図１５】
0004186033.tif 000019
【図１６】
0004186033.tif 000020
【図１７】
0004186033.tif 000021
【図１８】
0004186033.tif 000022